(57)【特許請求の範囲】
【請求項１】
物体側より順に、正の屈折力を有する第１レンズ群、負の屈折力を有する第２レンズ群、負の屈折力を有する第３レンズ群、正の屈折力を有する第４レンズ群、負の屈折力を有する第５レンズ群からなり、
広角端から望遠端への変倍に際して、第１レンズ群と第２レンズ群との間隔が増大し、第３レンズ群と第４レンズ群との間隔が減少し、第４レンズ群と第５レンズ群との間隔が減少し、
第２レンズ群と第３レンズ群との間隔は広角端において最小となり、第５レンズ群は負の屈折力の第５ａレンズ群と負の屈折力の第５ｂレンズ群とからなり、無限遠合焦状態から近距離へのフォーカシングに際して第５ａレンズ群が物体側から像側へ光軸に沿って移動し、以下の条件を満足することを特徴とする望遠ズームレンズ。
（１）０．０２３＜｜（ｆ４・ｆ５）／（ｆＷ・ｆＴ)｜＜０．０４４
（２）２．５＜ｆ２／ｆ３＜１０．０
ただし、
ｆ２：第２レンズ群の焦点距離
ｆ３：第３レンズ群の焦点距離
ｆ４：第４レンズ群の焦点距離
ｆ５：第５レンズ群の無限遠合焦時の合成焦点距離
ｆＷ：広角端におけるレンズ全系の合成焦点距離
ｆＴ：望遠端におけるレンズ全系の合成焦点距離
【請求項２】
第５ａレンズ群は２枚のレンズによる貼り合わせレンズのみからなることを特徴とする請求項１に記載の望遠ズームレンズ。
【請求項３】
第５レンズ群の結像倍率が以下の条件を満足することを特徴とする請求項１又は請求項２のいずれか１項に記載の望遠ズームレンズ。
（３）２．７＜β５Ｔ＜３．７
ただし、
β５Ｔ：第５レンズ群の望遠端における結像倍率
【請求項４】
第２レンズ群は物体側から順に負レンズと正レンズからなり、負レンズのアッベ数をＶｎ、正レンズのアッベ数をＶｐとしたとき、以下の条件を満足することを特徴とする請求項１乃至請求項３のいずれか１項に記載の望遠ズームレンズ。
（４）Ｖｎ＜Ｖｐ
ただし、
Ｖｎ：負レンズのアッベ数
Ｖｐ：正レンズのアッベ数
【発明の詳細な説明】
【技術分野】
【０００１】
本発明はスチルカメラやビデオカメラ等に好適な望遠ズームレンズに関し、特に画角が狭く、焦点距離の長い望遠レンズの光学系全長短縮及び小径化に関する。
【背景技術】
【０００２】
近年、一眼レフレックス方式または電子ファインダーを搭載する、レンズ交換式のデジタルカメラが普及している。これらのカメラは、ファインダー像と撮影像の視差がないため、様々な画角の交換レンズの使用に適する。
【０００３】
特に望遠レンズは、視差の影響を大きく受けるため、ファインダーと撮影レンズとの間に大きな視差のあるカメラに使用する際に問題となる。このため、望遠レンズは、一眼レフレックス方式または電子ファインダーを搭載するレンズ交換式のデジタルカメラの交換レンズとして使用することが適しており、一眼レフレックス方式または電子ファインダーを搭載する、レンズ交換式のデジタルカメラの普及に伴って、需要が拡大している。
【０００４】
一般的に望遠ズームレンズにおいては、画角を狭くすると焦点距離が長くなるため、レンズ系全体の大型化、ズーミングに伴う各レンズ群移動量の増大、フォーカスレンズ群の重量や移動量の増大およびそれに伴うオートフォーカス駆動速度の低下など、多くの問題が生じる。
【０００５】
望遠ズームレンズの小型化やフォーカス駆動の高速化に関する技術は以前より数多く提案されている。
【０００６】
小型の望遠ズームレンズとしては、物体側から順に正の第１レンズ群、負の第２レンズ群、正の第３レンズ群、負の第４レンズ群を備える構成がよく知られており、例えば特許文献１や特許文献２等に記載されている。
【０００７】
特許文献１及び特許文献２に記載された形式の望遠ズームレンズでは、広角端において、第１レンズ群と第２レンズ群が接近して、第１レンズ群と第２レンズ群の合成系の屈折力が弱い正または弱い負の屈折力となる。また、第３レンズ群と第４レンズ群とが離れることにより、第３レンズ群と第４レンズ群の間でテレフォト型のパワー配置が形成される。
【０００８】
一方、望遠端において、第１レンズ群と第２レンズ群の間隔が広がることで、第２レンズ群から第４レンズ群までのレンズ群が互いに接近し、第２レンズ群から第４レンズ群の合成系が負の屈折力となり、第１レンズ群と第２レンズ群から第４レンズ群との間でテレフォト型の屈折力配置が形成される。このような構成とすることで光学系全長を抑制しながらズーム比を確保している。
【０００９】
また、ズーミングの際に移動するレンズ群の数を増やすことで、より良好な収差補正を図るズームレンズの例が、例えば特許文献３等に記載されている。
【００１０】
従来、特許文献３に記載のレンズのように一般的には第１レンズ群を移動させることで近距離へのフォーカシングを行うことが多かった。しかし、第１レンズ群はズームレンズ系の中で最も重量が重いため、第１レンズ群を用いてフォーカシング動作を行うことは、フォーカス駆動速度が低下したり、アクチュエータの大型化により鏡筒が大型化する問題を招く。
【００１１】
また、ズームレンズ内部の小さなレンズ群で近距離へのフォーカシングを行うズームレンズが提案されており、例えば特許文献４や特許文献５等に記載されている。
【先行技術文献】
【特許文献】
【００１２】
【特許文献１】特開平０１−１９７７１３号公報
【００１３】
【特許文献２】特開平０８−８６９６１号公報
【００１４】
【特許文献３】特開平１１−２５８５０４号公報
【００１５】
【特許文献４】特許第４３６４３５９号公報
【００１６】
【特許文献５】特開２００９−２６５６５２号公報
【発明の概要】
【発明が解決しようとする課題】
【００１７】
従来の望遠ズームレンズに対し、さらなる小型化とズーム倍率の維持を達成しようとする場合、ズームレンズ光学系全体の全長の短縮のほか、各レンズ群の移動量の削減やフォーカスレンズ群の移動量および重量の削減が必要となる。
【００１８】
望遠ズームレンズにおいては、特に第１レンズ群やレンズ系後方の負の屈折力のレンズ群の移動量が大きくなりがちであり、ズームカムの傾きを大きくし、単位回転角に対するレンズ群の移動量を増やす必要がある。しかし、ズームカムの傾きを大きくするとトルクが重くなり、ズーム操作の操作感などに支障を生じる。
【００１９】
ズームカムの傾きを緩和させるには、カム筒の径を大きくすることが有効であるが、カム筒の径を大きくした場合には、必然的にレンズ鏡筒全体が大きくなってしまい、望ましくない。
【００２０】
また、望遠レンズは焦点距離が長く、撮影距離の変化に伴う像面の移動が大きいため、フォーカスレンズ群の移動量が大きくなる傾向がある。フォーカスレンズの移動量が大きい場合、フォーカスレンズ群を速く動かさなければフォーカシングに時間がかかってしまう。したがって、フォーカスレンズ群を速く動かせるパワーのあるアクチュエータを使う必要があるが、パワーがあるアクチュエータは大きく、重いため、これを搭載するとズームレンズ光学系の小型化や軽量化を阻害してしまう。フォーカスレンズ群を駆動するアクチュエータを小型化するためにはフォーカスレンズ群の移動量を抑制し、さらにその重量を軽減することが望ましい。
【００２１】
さらに近年では動画の撮影への対応が求められ、オートフォーカスの駆動をより静粛に行うことが要求されており、フォーカスレンズ群の軽量化が強く求められている。
【００２２】
上記の要求を満たしたうえで、望遠レンズにおいて問題となる軸上色収差や球面収差を良好に補正する必要がある。
【００２３】
特許文献１に記載の望遠ズームレンズは、望遠端における望遠比が０．６６程度と非常に小型化されているが、ズーム比が３倍程度とやや低い。また色収差および球面収差の補正が不十分であることや、ズーミングに伴う球面収差の変動が大きいなどの問題があり、性能が不十分である。
【００２４】
また、ズーミングに伴う第１レンズ群の移動量が、焦点距離やズーム比に比して大きく、さらに第４レンズ群の移動量も、第１レンズ群とほぼ同程度と大きい。鏡筒の小径化及び軽く滑らかなズーム操作性を確保するためには、少なくとも第１レンズ群又は第４レンズ群のうち、片方のレンズ群の移動量を削減する必要がある。
【００２５】
特許文献２に記載の望遠ズームレンズは、望遠端における望遠比が０．６５を切り、非常に小型化されており、ズーム比も４倍程度を確保している。しかしながら球面収差の補正が不十分で、ズーミングによる変動も大きく、性能が不十分である。
【００２６】
さらに第１レンズ群と第４レンズ群のズーミングに伴う移動量が同程度であるため、少なくともこのうちの片方の移動量を削減することが、レンズ鏡筒の小径化及び軽く滑らかなズーム操作性を確保するために必要である。
【００２７】
特許文献３に記載の望遠ズームレンズは、ズーミングによって移動する６つのレンズ群を設け、ズーム比を５倍程度としながら球面収差の変動を抑制しており、第１レンズ群の移動量も焦点距離やズーム比に比して少なく、後方のレンズ群の移動量も抑制されている。しかしながら、望遠端における望遠比は０．７４であって、携行性を高めるためには望遠端での望遠比０．６５程度を実現することが望ましい。
【００２８】
特許文献４に記載の望遠ズームレンズは、ズーミングによって移動する７つのレンズ群を設け、ズーム比が１０倍程度でありながら、球面収差と色収差を良好に補正し、高い結像性能を得ており、第１レンズ群や後方のレンズ群の移動量も抑制されている。しかしながら、望遠端における望遠比０．７１程度であり、やはり光学系全長の短縮が不十分である。また、第７レンズ群をフォーカスレンズ群としてフォーカスレンズ群の小型化を図っているが、第７レンズ群の構成枚数が４枚と多く、高速なオートフォーカスに対応するには軽量化が不十分である。
【００２９】
特許文献５に記載の望遠ズームレンズは、ズーミングによって移動する５つ又は６つのレンズ群を設け、ズーミングに伴う収差変動を抑制するとともに、フォーカスレンズ群をレンズ群後方の１枚または２枚にて構成し軽量化を図っている。しかしながら、望遠端での望遠比は０．８程度で小型化が不十分である。また、ズーミングに伴う第１レンズ群、第５レンズ群や第６レンズ群の移動量が焦点距離に比して大きく、鏡筒の小径化及び軽く滑らかなズーム操作性を確保するためには好ましくない。
【００３０】
本発明は、特に望遠端での対角線画角が５度以下、且つ、ズーム比が３．７５倍以上のズームレンズにおいて、高い結像性能を保持しながら、全長の削減、各レンズ群の移動量の削減、及び、フォーカスレンズ群の重量及び移動量の削減を図り、レンズ鏡筒全体の更なる小型化の達成を目的とする。
【課題を解決するための手段】
【００３１】
本発明の望遠ズームレンズは、物体側より順に、正の屈折力を有する第１レンズ群、負の屈折力を有する第２レンズ群、負の屈折力を有する第３レンズ群、正の屈折力を有する第４レンズ群、負の屈折力を有する第５レンズ群からなり、広角端から望遠端への変倍に際して、第１レンズ群と第２レンズ群との間隔が増大し、第３レンズ群と第４レンズ群との間隔が減少し、第４レンズ群と第５レンズ群との間隔が減少し、第２レンズ群と第３レンズ群との間隔は広角端において最小となり、第５レンズ群は負の屈折力の第５ａレンズ群と負の屈折力の第５ｂレンズ群とからなり、無限遠合焦状態から近距離へのフォーカシングに際して第５ａレンズ群が物体側から像側へ光軸に沿って移動し、以下の条件を満足することを特徴とする。
（１）０．０２３＜｜（ｆ４・ｆ５）／（ｆＷ・ｆＴ)｜＜０．０４４
（２）２．５＜ｆ２／ｆ３＜１０．０
ただし、
ｆ２：第２レンズ群の焦点距離
ｆ３：第３レンズ群の焦点距離
ｆ４：第４レンズ群の焦点距離
ｆ５：第５レンズ群の無限遠合焦時の合成焦点距離
ｆＷ：広角端におけるレンズ全系の合成焦点距離
ｆＴ：望遠端におけるレンズ全系の合成焦点距離
【００３２】
本発明においてさらに好ましくは、第５ａレンズ群は２枚のレンズによる貼り合わせレンズのみからなることを特徴とする。
【００３３】
本発明においてさらに好ましくは、第５レンズ群の結像倍率が以下の条件を満足することを特徴とする。
（３）２．７＜β５Ｔ＜３．７
ただし、
β５Ｔ：第５レンズ群の望遠端における結像倍率
【００３４】
本発明においてさらに好ましくは、第２レンズ群は物体側から順に負レンズと正レンズからなり、負レンズのアッベ数をＶｎ、正レンズのアッベ数をＶｐとした時、以下の条件を満足することを特徴とする。
（４）Ｖｎ＜Ｖｐ
ただし、
Ｖｎ：負レンズのアッベ数
Ｖｐ：正レンズのアッベ数
【発明の効果】
【００３５】
本発明によれば、望遠端での対角線画角が５度程度以下で、且つ、ズーム比が３．７５倍以上の望遠ズームレンズにおいて、高い結像性能を保持しながら、従来よりもさらなる小型化を達成可能な望遠ズームレンズを提供できる。
【図面の簡単な説明】
【００３６】
【図１】実施例１の望遠ズームレンズの広角端および望遠端の無限遠合焦状態におけるレンズ移動図
【図２】実施例１の望遠ズームレンズの広角端の無限遠合焦状態における縦収差図
【図３】実施例１の望遠ズームレンズの中間焦点距離の無限遠合焦状態における縦収差図
【図４】実施例１の望遠ズームレンズの望遠端の無限遠合焦状態における縦収差図
【図５】実施例１の望遠ズームレンズの広角端の無限遠合焦状態における横収差図
【図６】実施例１の望遠ズームレンズの中間焦点距離の無限遠合焦状態における横収差図
【図７】実施例１の望遠ズームレンズの望遠端の無限遠合焦状態における横収差図
【図８】実施例２の望遠ズームレンズの広角端および望遠端の無限遠合焦状態におけるレンズ移動図
【図９】実施例２の望遠ズームレンズの広角端の無限遠合焦状態における縦収差図
【図１０】実施例２の望遠ズームレンズの中間焦点距離の無限遠合焦状態における縦収差図
【図１１】実施例２の望遠ズームレンズの望遠端の無限遠合焦状態における縦収差図
【図１２】実施例２の望遠ズームレンズの広角端の無限遠合焦状態における横収差図
【図１３】実施例２の望遠ズームレンズの中間焦点距離の無限遠合焦状態における横収差図
【図１４】実施例２の望遠ズームレンズの望遠端の無限遠合焦状態における横収差図
【図１５】実施例３の望遠ズームレンズの広角端および望遠端の無限遠合焦状態におけるレンズ移動図
【図１６】実施例３の望遠ズームレンズの広角端の無限遠合焦状態における縦収差図
【図１７】実施例３の望遠ズームレンズの中間焦点距離の無限遠合焦状態における縦収差図
【図１８】実施例３の望遠ズームレンズの望遠端の無限遠合焦状態における縦収差図
【図１９】実施例３の望遠ズームレンズの広角端の無限遠合焦状態における横収差図
【図２０】実施例３の望遠ズームレンズの中間焦点距離の無限遠合焦状態における横収差図
【図２１】実施例３の望遠ズームレンズの望遠端の無限遠合焦状態における横収差図
【図２２】実施例４の望遠ズームレンズの広角端および望遠端の無限遠合焦状態におけるレンズ移動図
【図２３】実施例４の望遠ズームレンズの広角端の無限遠合焦状態における縦収差図
【図２４】実施例４の望遠ズームレンズの中間焦点距離の無限遠合焦状態における縦収差図
【図２５】実施例４の望遠ズームレンズの望遠端の無限遠合焦状態における縦収差図
【図２６】実施例４の望遠ズームレンズの広角端の無限遠合焦状態における横収差図
【図２７】実施例４の望遠ズームレンズの中間焦点距離の無限遠合焦状態における横収差図
【図２８】実施例４の望遠ズームレンズの望遠端の無限遠合焦状態における横収差図
【図２９】実施例５の望遠ズームレンズの広角端および望遠端の無限遠合焦状態におけるレンズ移動図
【図３０】実施例５の望遠ズームレンズの広角端の無限遠合焦状態における縦収差図
【図３１】実施例５の望遠ズームレンズの中間焦点距離の無限遠合焦状態における縦収差図
【図３２】実施例５の望遠ズームレンズの望遠端の無限遠合焦状態における縦収差図
【図３３】実施例５の望遠ズームレンズの広角端の無限遠合焦状態における横収差図
【図３４】実施例５の望遠ズームレンズの中間焦点距離の無限遠合焦状態における横収差図
【図３５】実施例５の望遠ズームレンズの望遠端の無限遠合焦状態における横収差図
【図３６】実施例６の望遠ズームレンズの広角端および望遠端の無限遠合焦状態におけるレンズ移動図
【図３７】実施例６の望遠ズームレンズの広角端の無限遠合焦状態における縦収差図
【図３８】実施例６の望遠ズームレンズの中間焦点距離の無限遠合焦状態における縦収差図
【図３９】実施例６の望遠ズームレンズの望遠端の無限遠合焦状態における縦収差図
【図４０】実施例６の望遠ズームレンズの広角端の無限遠合焦状態における横収差図
【図４１】実施例６の望遠ズームレンズの中間焦点距離の無限遠合焦状態における横収差図
【図４２】実施例６の望遠ズームレンズの望遠端の無限遠合焦状態における横収差図
【発明を実施するための形態】
【００３７】
本発明の望遠ズームレンズは、正の屈折力を有する第１レンズ群と、負の屈折力を有する第２レンズ群と、負の屈折力を有する第３レンズ群と、正の屈折力を有する第４レンズ群と、負の屈折力を有する第５レンズ群とを備える。
【００３８】
また、広角端状態においては、第１レンズ群から第３レンズ群までが接近してその合成系の屈折力が負となり、第４レンズ群と第５レンズ群とが離れてその合成系の屈折力が正となる。
【００３９】
また、本発明のズームレンズは、第４レンズ群と第５レンズ群とでテレフォト型の屈折力配置が形成され、広角端における光学系全長の短縮に寄与する。
【００４０】
また、望遠端状態においては、第１レンズ群と第２レンズ群とが離れ、第３レンズ群は第２レンズ群から離れて第４レンズ群に接近し、第５レンズ群も第４レンズ群に接近し、第２レンズ群から第５レンズ群までの合成系の屈折力が負となり、第１レンズ群と第２レンズ群から第５レンズ群までの合成系の間にテレフォト型の屈折力配置が形成される。
【００４１】
また、第２レンズ群と第３レンズ群の間隔を離すことにより、第２、第３レンズ群の各々のパワーを強めることなく第２、第３レンズ群の合成屈折力を強めることできるので、収差を悪化させることなく、望遠比を小さくすることが可能となる。
【００４２】
また、第２レンズ群の屈折力を第１レンズ群の屈折力と逆符号にすることにより、望遠側における下光線のコマフレアの補正が可能となる。
【００４３】
近距離方向へのフォーカシングに際しては、レンズを軽量化するため、なるべく光学系全体において像側寄りのレンズ群の一部を使用することが好ましい。
【００４４】
さらに、フォーカスレンズ群より前の合成系の屈折力が正である場合、負の屈折力を有するレンズ群をフォーカスレンズ群として用いると、フォーカスレンズ群の移動量を削減しやすく、フォーカスレンズ群より後ろにさらに負の屈折力を有するレンズ群があればフォーカスレンズ群の移動量をより一層削減しやすい。
【００４５】
このため、本発明の望遠ズームレンズでは、第５レンズ群を負の屈折力の第５ａレンズ群と負の屈折力の第５ｂレンズ群より構成されることとし、第５ａレンズ群によってフォーカシングを行うこととした。
【００４６】
条件式（１）は、第４レンズ群と第５レンズ群の焦点距離に関する式であり、ズームレンズ全系の広角端における小型化を達成するための好ましい条件を示している。
【００４７】
広角端における小型化のためには、第４レンズ群の正の屈折力及び第５レンズ群の負の屈折力を強くすることにより、第４レンズ群と第５レンズ群との間に強いテレフォト型の屈折力配置を形成することが効果的である。
【００４８】
条件式（１）の上限を上回ると、第４レンズ群と第５レンズ群のそれぞれの屈折力が弱すぎて光学系全長の短縮が不十分となってしまう。
【００４９】
条件式（１）の下限を下回ると、第４レンズ群の正の屈折力と第５レンズ群の負の屈折力がそれぞれ強くなりすぎて球面収差やコマ収差、非点収差等の補正が困難となり、性能が低下してしまう。
【００５０】
条件式（２）は、第２レンズ群と第３レンズ群の焦点距離の関係を規定する式であり、望遠側でのコマ収差と非点収差補正のための好ましい条件を示す。
【００５１】
条件式（２）の上限を上回り、第３レンズ群の負の屈折力が第２レンズ群の負の屈折力を大きく上回ると、第２レンズ群の負の屈折力が相対的に弱まり、望遠側の下光線のコマフレアおよびメリジオナル非点収差の補正能力が無くなる。
【００５２】
一方、相対的に負の屈折力が強くなった第３レンズ群の影響により望遠側でのオーバーな球面収差の補正が困難になる。
【００５３】
条件式（２）の下限を下回り、第２レンズ群の負の屈折力と第３レンズ群の負の屈折力が近づいていくと、第２レンズ群の負の屈折力が相対的に強くなるため、望遠側の下光線のコマフレアがアンダーになり好ましくない。
【００５４】
また、メリジオナル像面についてもプラスにシフトするため、後方のレンズ群での補正をするためにはマイナス方向のメリジオナル像面の成分を無理に発生しなければならず、ズーム全域で非点収差を補正することが困難になる。
【００５５】
さらに、第５ａレンズ群を２枚のレンズによる貼り合わせレンズのみから構成することで、フォーカスレンズ群の軽量化が可能である。
【００５６】
さらなるフォーカスレンズ群の軽量化のためには、フォーカスレンズ群を１枚のレンズから構成することも考えられるが、その場合、フォーカスレンズ群単体での色消しが不可能となり、フォーカシングに伴う色収差の変動を抑制することが困難となるので、特に焦点距離の長い望遠レンズには適さない。
【００５７】
条件式（３）は、第５レンズ群の望遠端における結像倍率を規定し、望遠端側でのフォーカシングに伴う第５ａレンズ群の移動に対する像面の移動量に関する望ましい範囲を示す。
【００５８】
条件式（３）の上限を超えて第５レンズ群の倍率の絶対値が大きくなると、第５ａレンズ群の移動量に対して像面の移動量が大きくなり、第５ａレンズ群の停止位置に高い精度が要求されるため、フォーカシングの制御が困難となる。
【００５９】
条件式（３）の下限を超えて第５レンズ群の倍率の絶対値が小さくなると、所定の撮影距離までのフォーカシングに要する第５ａレンズ群の移動量が大きくなるため、フォーカシングの速度が低下し、又は光学系全長の短縮が困難となる。
【００６０】
条件式（４）は、負の屈折力を持つ第２レンズ群の負レンズと正レンズのアッベ数の関係を規定する。
【００６１】
本条件を満足することにより、第２レンズ群で発生するｇ線の倍率色収差をアンダー、ｇ線の軸上色収差をオーバーにすることにより、広角端では第２レンズ群と第３レンズ群の合成系の倍率の色収差が補正され、望遠端では第１レンズ群乃至第３レンズ群の合成系の倍率の色収差を補正することが可能となる。
【００６２】
また、この関係を満足できない場合、特に望遠側のｇ線の倍率色収差がプラスにシフトするとともに、ｇ線の軸上色収差がマイナスにシフトし光学性能の低下が免れない。  
【００６３】
以下に本発明の望遠ズームレンズに係る数値実施例１乃至数値実施例６を示す。
【００６４】
各数値実施例において、［全体諸元］におけるｆは焦点距離、ＦｎｏはＦナンバー、２ωは対角線画角を示し、Ｂｆはバックフォーカスを示す。［レンズ諸元］における第１列の番号は物体側からのレンズ面番号を示し、第２列のＲはレンズ面の曲率半径を示し、第３列のＤはレンズ面間隔を示し、第４列のｎｄはｄ線（波長５８７．５６ｎｍ）の屈折率を示し、第５列のνｄはｄ線基準のアッベ数を示す。また、図中のｄ線、ｇ線、Ｃ線、はそれぞれの波長での収差を示し、ΔＳはｄ線のサジタル像面、ΔＭはｄ線のメリジオナル像面を示す。
【００６５】
各数値実施例の変倍光学系は上記のすべての条件を満足する。
【００６６】
また、各実施例においては第２レンズ群がズーミングに際して移動しない。第２レンズ群の移動に要するカムなどの機構が不要となるので、レンズ鏡筒の小型化において有利となる。ズーミングに際して移動するレンズ群は４つであるため、レンズ群の数を増加させながらも、従来の４群構成のズームレンズと比較して機構が複雑となってしまうことを避けている。
【００６７】
また、各実施例において、第５レンズ群と結像面の間に配置されている平行平面板はローパスフィルタである。
【００６８】
また、各実施例において、バックフォーカスとはローパスフィルタの像側の面と結像面の間の距離を示す。
【実施例１】
【００６９】
実施例１の望遠ズームレンズは、正の屈折力を有する第１レンズ群と、負の屈折力を有する第２レンズ群と、負の屈折力を有する第３レンズ群と、正の屈折力を有する第４レンズ群と、負の屈折力を有する第５レンズ群とを備える。第１レンズ群は物体側に凸面を向けた凹メニスカスレンズと両凸レンズの張り合わせレンズ、物体側に凸面を向けた凸メニスカスレンズから成り、第２レンズ群は両凹レンズ、物体側に凸面を向けた凸メニスカスレンズから成り、第３レンズ群は両凹レンズ、物体側に凸面を向けた凸メニスカスレンズから成り、第４レンズ群は両凸レンズ、両凸レンズ、両凹レンズと両凸レンズの張り合わせレンズ、両凸レンズから成り、第５レンズ群はフォーカシング時に移動する負の屈折力の第５ａレンズ群と負の屈折力の第５ｂレンズ群とからなる。第５ａレンズ群は両凸レンズと両凹レンズの張り合わせレンズから成り、第５ｂレンズ群は物体側に凸面を向けた凸メニスカスレンズ、両凹レンズから成る。
【００７０】
［レンズ諸元］
Ｒ         Ｄ       ｎｄ       νｄ
[物面]             ∞         ∞
[1]           70.8737     2.3331    1.80610      33.27
[2]           51.7176     6.4265    1.45650      90.27
[3]         -912.9285     0.1414
[4]          106.8054     3.5272    1.49700      81.61
[5]         2593.7241       可変
[6]          -93.0537     1.2726    1.77250      49.62
[7]           57.1372     0.1500
[8]           25.1435     2.9894    1.48749      70.44
[9]           97.8762       可変
[10]         -52.0887     1.2019    1.77250      49.62
[11]          23.2250     1.4000
[12]          28.0589     2.5650    1.84666      23.78
[13]         195.0438       可変
[14]（絞り）  56.5020     3.2885    1.48749      70.44
[15]         -69.2014     0.4086
[16]          52.4187     4.4112    1.48749      70.44
[17]         -28.4291     1.4289
[18]         -27.6560     1.2019    1.91082      35.25
[19]          22.9802     4.8695    1.58144      40.89
[20]         -43.0590     0.1500
[21]          27.1011     4.6621    1.48749      70.44
[22]         -55.3328       可変
[23]          55.8868     2.4871    1.84666      23.78
[24]        -224.3124     1.0000    1.77250      49.62
[25]          20.2224       可変
[26]          85.1592     1.9792    1.72825      28.32
[27]         194.8485     2.0000
[28]         -31.9287     1.0000    1.77250      49.62
[29]        1697.5062       可変
[30]               ∞     4.1400    1.51680      64.20
[31]               ∞         Bf
[像面]             ∞
［全体諸元］
広角端     中望遠     望遠端
ｆ              71.26     140.37     290.98
Ｆｎｏ           5.09       5.62       6.62
２ω             17.3        8.7        4.2
像高            10.82      10.82      10.82
レンズ全長     134.00     158.80     179.00
Ｂｆ             0.90       0.90       0.90
［無限遠合焦時の可変間隔］
広角端     中望遠     望遠端
d5             3.6100    28.4100    48.6500
d9             5.0000    16.1200    18.4700
d13           23.9400    11.1400     4.0500
d22           15.1700    12.9600     2.0000
d25           11.8500    11.8500    11.8500
d29           18.5000    22.3900    38.0500
[ズームレンズ群データ]
群         始面        焦点距離
1             1          105.26
2             6         -135.41
3            10          -48.36
4            14           30.15
5            23          -21.23
［条件式対応値］
実施例１
条件式（１）   |(f4・ｆ5)/(fW・fT)|      0.031
条件式（２）                  f2/f3       2.80
条件式（３）                   β5T       3.26
条件式（４）                     Vn      49.62
Vp      70.44
【実施例２】
【００７１】
実施例２の望遠ズームレンズは、正の屈折力を有する第１レンズ群と、負の屈折力を有する第２レンズ群と、負の屈折力を有する第３レンズ群と、正の屈折力を有する第４レンズ群と、負の屈折力を有する第５レンズ群とを備える。第１レンズ群は物体側に凸面を向けた凹メニスカスレンズと両凸レンズの張り合わせレンズ、両凸レンズから成り、第２レンズ群は両凹レンズ、物体側に凸面を向けた凸メニスカスレンズから成り、第３レンズ群は両凹レンズ、物体側に凸面を向けた凸メニスカスレンズから成り、第４レンズ群は両凸レンズ、両凸レンズ、両凹レンズと両凸レンズの張り合わせレンズ、両凸レンズから成り、第５レンズ群はフォーカシング時に移動する負の屈折力の第５ａレンズ群と負の屈折力の第５ｂレンズ群とからなる。第５ａレンズ群は両凸レンズと両凹レンズの張り合わせレンズから成り、第５ｂレンズ群は像側に凸面を向けた凸メニスカスレンズ、両凹レンズから成る。
【００７２】
［レンズ諸元］
Ｒ         Ｄ       ｎｄ       νｄ
[物面]             ∞         ∞
[1]           74.6783     2.3331    1.80609      33.27
[2]           53.5609     6.4265    1.45650      90.27
[3]         -590.2734     0.1414
[4]          114.7515     3.5272    1.49700      81.61
[5]        -3902.0618       可変
[6]          -80.3294     1.2726    1.77250      49.62
[7]           62.1258     0.1500
[8]           25.8960     3.1585    1.48749      70.44
[9]          141.1185       可変
[10]         -56.8832     1.2019    1.77250      49.62
[11]          21.7810     1.4000
[12]          26.0097     2.5468    1.84666      23.78
[13]         122.0907       可変
[14]（絞り） 105.5127     3.6264    1.48749      70.44
[15]         -50.4911     0.4086
[16]          42.3313     4.6964    1.48749      70.44
[17]         -28.9430     1.4614
[18]         -27.5979     1.2019    1.91082      35.25
[19]          21.9916     5.0270    1.58144      40.89
[20]         -45.3911     0.1500
[21]          26.7717     5.0890    1.48749      70.44
[22]         -45.2800       可変
[23]          72.6642     2.6445    1.84666      23.78
[24]         -76.7382     1.0000    1.77250      49.62
[25]          22.7119       可変
[26]        -173.5283     2.5056    1.72824      28.32
[27]         -30.6501     2.0000
[28]         -22.5615     1.0000    1.91082      35.25
[29]         150.0000       可変
[30]               ∞     4.1400    1.51680      64.20
[31]               ∞         Bf
[像面]             ∞
［全体諸元］
広角端     中望遠     望遠端
ｆ           71.39     140.30     291.26
Ｆｎｏ        5.11       5.53       6.65
２ω          17.2        8.7        4.2
像高         10.82      10.82      10.82
レンズ全長  133.99     159.31     179.01
Ｂｆ          0.89       0.89       0.89
［無限遠合焦時の可変間隔］
広角端     中望遠     望遠端
d5          3.6600    28.9600    48.6900
d9          4.8400    16.6800    19.0700
d13        23.4500    10.9800     4.4400
d22        13.5500    11.7400     2.0000
d25        11.9900    11.9900    11.9900
d29        18.5000    20.9600    34.8200
[ズームレンズ群データ]
群         始面      焦点距離
1             1        106.27
2             6       -150.78
3            10        -45.69
4            14         29.25
5            23        -18.49
［条件式対応値］
実施例２
条件式（１）   |(f4・ｆ5)/(fW・fT)|      0.026
条件式（２）                  f2/f3       3.30
条件式（３）                   β5T       3.36
条件式（４）                     Vn      49.62
Vp      70.44
【実施例３】
【００７３】
実施例３の望遠ズームレンズは、正の屈折力を有する第１レンズ群と、負の屈折力を有する第２レンズ群と、負の屈折力を有する第３レンズ群と、正の屈折力を有する第４レンズ群と、負の屈折力を有する第５レンズ群とを備える。第１レンズ群は物体側に凸面を向けた凹メニスカスレンズと両凸レンズの張り合わせレンズ、物体側に凸面を向けた凸メニスカスレンズから成り、第２レンズ群は両凹レンズ、物体側に凸面を向けた凸メニスカスレンズから成り、第３レンズ群は両凹レンズ、物体側に凸面を向けた凸メニスカスレンズから成り、第４レンズ群は両凸レンズ、両凸レンズ、両凹レンズと両凸レンズの張り合わせレンズ、両凸レンズから成り、第５レンズ群はフォーカシング時に移動する負の屈折力の第５ａレンズ群と負の屈折力の第５ｂレンズ群とからなる。第５ａレンズ群は両凸レンズと両凹レンズの張り合わせレンズから成り、第５ｂレンズ群は物体側に凸面を向けた凸メニスカスレンズ、両凹レンズから成る。
【００７４】
［レンズ諸元］
Ｒ         Ｄ       ｎｄ       νｄ
[物面]             ∞         ∞
[1]           74.1503     2.3331    1.83400      37.34
[2]           51.1132     6.4265    1.49700      81.61
[3]         -996.6214     0.1414
[4]          103.6421     3.5272    1.45650      90.27
[5]         1726.9589       可変
[6]         -148.7612     1.2726    1.80420      46.50
[7]           51.6258     0.1500
[8]           25.0553     3.2160    1.48749      70.44
[9]          121.6614       可変
[10]         -44.3400     1.2019    1.77250      49.62
[11]          22.9034     1.4000
[12]          27.4958     2.6412    1.84666      23.78
[13]         252.5091       可変
[14]（絞り）  55.0286     3.2789    1.48749      70.44
[15]         -67.2123     0.5202
[16]          61.9089     4.2159    1.48749      70.44
[17]         -27.8188     1.4368
[18]         -27.0208     1.2019    1.91082      35.25
[19]          23.8153     4.8522    1.56732      42.84
[20]         -38.2840     0.1500
[21]          26.0671     4.6085    1.48749      70.44
[22]         -60.3111       可変
[23]          63.8009     2.4857    1.84666      23.78
[24]        -143.2704     1.0000    1.77250      49.62
[25]          21.6948       可変
[26]          76.6469     2.0240    1.76181      26.61
[27]         216.4878     2.0000
[28]         -29.5207     1.0000    1.77250      49.62
[29]         436.5947       可変
[30]               ∞     4.1400    1.51680      64.20
[31]               ∞         Bf
[像面]             ∞
［全体諸元］
広角端     中望遠     望遠端
Ｆ           71.22     139.74     289.70
Ｆｎｏ        5.11       5.50       6.58
２ω          17.3        8.7        4.2
像高         10.82      10.82      10.82
レンズ全長  133.99     159.31     179.01
Ｂｆ          0.90       0.90       0.90
[可変間隔]
広角端     中望遠     望遠端
d5          3.4100    30.6200    48.5100
d9          4.9000    14.5200    19.0600
d13        24.3900    14.0400     4.0000
d22        14.8600    11.6800     2.0000
d25        11.8200    11.8200    11.8200
d29        18.5000    22.3800    37.5200
ズームレンズ群データ
群         始面      焦点距離
1             1        108.35
2             6       -181.88
3            10        -45.68
4            14         30.12
5            23        -20.71
［条件式対応値］
実施例３
条件式（１）   |(f4・ｆ5)/(fW・fT)|      0.030
条件式（２）                  f2/f3       3.98
条件式（３）                   β5T       3.27
条件式（４）                     Vn      46.50
Vp      70.44
【実施例４】
【００７５】
実施例４の望遠ズームレンズは、正の屈折力を有する第１レンズ群と、負の屈折力を有する第２レンズ群と、負の屈折力を有する第３レンズ群と、正の屈折力を有する第４レンズ群と、負の屈折力を有する第５レンズ群とを備える。第１レンズ群は物体側に凸面を向けた凹メニスカスレンズと物体側に凸面を向けた凸メニスカスレンズの張り合わせレンズ、物体側に凸面を向けた凸メニスカスレンズから成り、第２レンズ群は物体側に凸面を向けた凹メニスカスレンズ、物体側に凸面を向けた凸メニスカスレンズから成り、第３レンズ群は両凹レンズ、両凸レンズから成り、第４レンズ群は両凸レンズ、両凸レンズ、両凹レンズと両凸レンズの張り合わせレンズ、両凸レンズから成り、第５レンズ群はフォーカシング時に移動する負の屈折力の第５ａレンズ群と負の屈折力の第５ｂレンズ群とからなる。第５ａレンズ群は両凸レンズと両凹レンズの張り合わせレンズから成り、第５ｂレンズ群は物体側に凸面を向けた凸メニスカスレンズ、両凹レンズから成る。
【００７６】
［レンズ諸元］
Ｒ         Ｄ       ｎｄ       νｄ
[物面]             ∞         ∞
[1]           64.2092     2.3331    1.80609      33.27
[2]           47.9915     6.4265    1.45650      90.27
[3]         2302.0037     0.1414
[4]           73.2637     3.5272    1.49700      81.61
[5]          210.0178       可変
[6]          330.9358     1.2726    1.77250      49.62
[7]           28.2975     0.1500
[8]           21.5661     3.3122    1.48749      70.44
[9]          105.1820       可変
[10]         -29.9071     1.2019    1.77250      49.62
[11]          29.6586     1.4000
[12]          36.7918     2.5557    1.84666      23.78
[13]        -219.9961       可変
[14]（絞り）  43.0113     4.0229    1.48749      70.44
[15]         -44.7790     0.1000
[16]          55.1486     4.0401    1.48749      70.44
[17]         -34.7357     1.6023
[18]         -30.0763     1.2019    1.91082      35.25
[19]          26.0345     4.1668    1.58144      40.89
[20]         -55.8082     0.1500
[21]          32.7581     3.6881    1.48749      70.44
[22]         -78.7214       可変
[23]          66.1578     2.2728    1.84666      23.78
[24]        -992.0447     1.0000    1.77250      49.62
[25]          20.8623       可変
[26]          28.1347     2.0015    1.72824      28.32
[27]          32.8123     2.0000
[28]         -49.8839     1.0000    1.56384      60.83
[29]         150.0000       可変
[30]               ∞     4.1400    1.51680      64.20
[31]               ∞         Bf
[像面]             ∞
［全体諸元］
広角端     中望遠     望遠端
ｆ           71.04     139.52     289.94
Ｆｎｏ        5.30       5.42       6.74
２ω          17.4        8.8        4.2
像高         10.82      10.82      10.82
レンズ全長  134.00     162.68     179.00
Ｂｆ          0.90       0.90       0.90
[無限遠合焦時の可変間隔]
広角端     中望遠     望遠端
d5          3.1300    31.8500    48.1300
d9          4.9300    14.8000    16.3600
d13        23.7600    14.9500     3.4800
d22        17.4700    13.1900     2.0000
d25        11.6000    11.6000    11.6000
d29        18.5000    21.6900    42.8300
[ズームレンズ群データ]
群         始面      焦点距離
1             1        105.26
2             6       -144.18
3            10        -43.69
4            14         31.09
5            23        -26.50
［条件式対応値］
実施例４
条件式（１）   |(f4・ｆ5)/(fW・fT)|      0.040
条件式（２）                  f2/f3       3.30
条件式（３）                   β5T       3.05
条件式（４）                     Vn      49.62
Vp      70.44
【実施例５】
【００７７】
実施例５の望遠ズームレンズは、正の屈折力を有する第１レンズ群と、負の屈折力を有する第２レンズ群と、負の屈折力を有する第３レンズ群と、正の屈折力を有する第４レンズ群と、負の屈折力を有する第５レンズ群とを備える。第１レンズ群は物体側に凸面を向けた凹メニスカスレンズと物体側に凸面を向けた凸メニスカスレンズの張り合わせレンズ、両凸レンズから成り、第２レンズ群は両凹レンズ、物体側に凸面を向けた凸メニスカスレンズから成り、第３レンズ群は両凹レンズ、物体側に凸面を向けた凸メニスカスレンズから成り、第４レンズ群は両凸レンズ、両凸レンズ、両凹レンズと両凸レンズの張り合わせレンズ、両凸レンズから成り、第５レンズ群はフォーカシング時に移動する負の屈折力の第５ａレンズ群と負の屈折力の第５ｂレンズ群とからなる。第５ａレンズ群は両凸レンズと両凹レンズの張り合わせレンズから成り、第５ｂレンズ群は物体側に凸面を向けた凸メニスカスレンズ、両凹レンズから成る。
【００７８】
［レンズ諸元］
Ｒ         Ｄ       ｎｄ       νｄ
[物面]             ∞         ∞
[1]           84.7957     2.3331    1.83400      37.34
[2]           53.8899     5.8215    1.49700      81.61
[3]         1481.6593     0.1414
[4]           81.3144     4.6749    1.45650      90.27
[5]         -611.4887       可変
[6]         -147.5808     1.2726    1.75500      52.32
[7]           45.2446     0.1500
[8]           23.8533     3.6070    1.48749      70.44
[9]          166.7574       可変
[10]         -42.0874     1.2019    1.77250      49.62
[11]          22.1075     1.4000
[12]          26.4252     2.5496    1.84666      23.78
[13]         153.8099       可変
[14]（絞り） 142.5760     2.8911    1.48749      70.44
[15]         -56.4211     2.8591
[16]          47.4649     4.3838    1.48749      70.44
[17]         -26.2228     1.3510
[18]         -25.8681     1.2019    1.91082      35.25
[19]          25.2369     4.3802    1.53172      48.84
[20]         -33.8784     0.1500
[21]          26.6407     4.0085    1.51742      52.15
[22]         -54.4698       可変
[23]          63.8907     2.3969    1.84666      23.78
[24]        -141.3098     1.0000    1.77250      49.62
[25]          21.1688       可変
[26]          27.8712     2.0999    1.62588      35.74
[27]          39.7589     2.0000
[28]         -31.6146     1.0000    1.77250      49.62
[29]         367.4043       可変
[30]               ∞     4.1400    1.51680      64.20
[31]               ∞         Bf
[像面]             ∞
［全体諸元］
広角端     中望遠     望遠端
ｆ           71.18     140.09     291.01
Ｆｎｏ        5.05       5.47       6.61
２ω          17.4        8.7        4.2
像高         10.82      10.82      10.82
レンズ全長  134.00     160.14     179.00
Ｂｆ          0.95       0.95       0.95
[可変間隔]
広角端     中望遠     望遠端
d5          3.2700    29.4100    48.2900
d9          4.7800    12.5100    16.6500
d13        21.2600    12.1300     4.4800
d22        16.4400    12.9700     2.0000
d25        11.2800    11.2800    11.2800
d29        19.0000    23.8900    38.3300
[ズームレンズ群データ]
群         始面      焦点距離
1             1        105.26
2             6       -235.97
3            10        -39.98
4            14         29.96
5            23        -21.51
［条件式対応値］
実施例５
条件式（１）   |(f4・ｆ5)/(fW・fT)|      0.026
条件式（２）                  f2/f3       3.30
条件式（３）                   β5T       3.36
条件式（４）                     Vn      52.32
Vp      70.44
【実施例６】
【００７９】
実施例６の望遠ズームレンズは、正の屈折力を有する第１レンズ群と、負の屈折力を有する第２レンズ群と、負の屈折力を有する第３レンズ群と、正の屈折力を有する第４レンズ群と、負の屈折力を有する第５レンズ群とを備える。第１レンズ群は物体側に凸面を向けた凹メニスカスレンズと両凸レンズの張り合わせレンズ、両凸レンズから成り、第２レンズ群は両凹レンズ、物体側に凸面を向けた凸メニスカスレンズから成り、第３レンズ群は両凹レンズ、物体側に凸面を向けた凸メニスカスレンズから成り、第４レンズ群は両凸レンズ、両凸レンズ、両凹レンズと両凸レンズの張り合わせレンズ、両凸レンズから成り、第５レンズ群はフォーカシング時に移動する負の屈折力の第５ａレンズ群と負の屈折力の第５ｂレンズ群とからなる。第５ａレンズ群は両凸レンズと両凹レンズの張り合わせレンズから成り、第５ｂレンズ群は物体側に凸面を向けた凸メニスカスレンズ、両凹レンズから成る。
【００８０】
［レンズ諸元］
Ｒ         Ｄ       ｎｄ       νｄ
[物面]             ∞         ∞
[1]           97.6616     2.3331    1.83400      37.34
[2]           58.7534     5.7548    1.49700      81.61
[3]        -2358.0771     0.1414
[4]           69.8636     4.8265    1.45650      90.27
[5]       -10000.0000       可変
[6]        -3451.7865     1.2726    1.64850      53.03
[7]           32.1162     0.1500
[8]           23.0874     3.6125    1.48749      70.44
[9]          129.4973       可変
[10]         -39.0525     1.2019    1.77250      49.62
[11]          20.8350     1.4000
[12]          24.5125     2.5579    1.84666      23.78
[13]         138.5662       可変
[14]（絞り） 146.0836     2.6748    1.48749      70.44
[15]         -66.0054     3.9202
[16]          62.4628     4.0379    1.48749      70.44
[17]         -25.2550     1.3370
[18]         -25.5666     1.2019    1.91082      35.25
[19]          25.9501     4.3813    1.51823      58.96
[20]         -30.0359     0.1500
[21]          28.3562     3.7645    1.58267      46.42
[22]         -57.1221       可変
[23]          88.5380     2.3880    1.84666      23.78
[24]         -80.4005     1.0000    1.77250      49.62
[25]          21.8693       可変
[26]          34.8402     2.1613    1.72824      28.32
[27]          65.9094     2.0000
[28]         -42.5021     1.0000    1.88300      40.80
[29]         178.4257       可変
[30]               ∞     4.1400    1.51680      64.20
[31]               ∞         Bf
[像面]             ∞
［全体諸元］
広角端     中望遠     望遠端
ｆ           71.23     139.77     291.09
Ｆｎｏ        5.10       5.71       6.62
２ω          17.3        8.7        4.2
像高         10.82      10.82      10.82
レンズ全長  134.00     161.43     179.00
Ｂｆ          0.95       0.95       0.95
[可変間隔]
広角端     中望遠     望遠端
d5          3.0100    30.4500    48.0200
d9          4.8500    13.8300    17.6100
d13        19.6400    11.9600     4.5000
d22        17.9400    13.5700     2.0000
d25        11.2100    11.2100    11.2100
d29        19.0000    22.0600    37.3100
[ズームレンズ群データ]
群         始面     焦点距離
1             1       105.26
2             6      -336.73
3            10       -37.84
4            14        29.83
5            23       -22.37
［条件式対応値］
実施例６
条件式（１）   |(f4・ｆ5)/(fW・fT)|      0.032
条件式（２）                  f2/f3       8.90
条件式（３）                   β5T       3.13
条件式（４）                     Vn      53.03
Vp      70.44
【符号の説明】
【００８１】
Ｌ１  第１レンズ群
Ｌ２  第２レンズ群
Ｌ３  第３レンズ群
Ｌ４  第４レンズ群
Ｌ５  第５レンズ群
Ｌ５ａ  第５ａレンズ群
Ｌ５ｂ  第５ｂレンズ群
ＬＰＦ  ローパスフィルタ
ＩＰ  像面
ｄ  ｄ線
ｇ  ｇ線
Ｃ  Ｃ線
ΔＳ  サジタル像面
ΔＭ  メリジオナル像面
【図１】
0005554679.tif 000002
【図２】
0005554679.tif 000003
【図３】
0005554679.tif 000004
【図４】
0005554679.tif 000005
【図５】
0005554679.tif 000006
【図６】
0005554679.tif 000007
【図７】
0005554679.tif 000008
【図８】
0005554679.tif 000009
【図９】
0005554679.tif 000010
【図１０】
0005554679.tif 000011
【図１１】
0005554679.tif 000012
【図１２】
0005554679.tif 000013
【図１３】
0005554679.tif 000014
【図１４】
0005554679.tif 000015
【図１５】
0005554679.tif 000016
【図１６】
0005554679.tif 000017
【図１７】
0005554679.tif 000018
【図１８】
0005554679.tif 000019
【図１９】
0005554679.tif 000020
【図２０】
0005554679.tif 000021
【図２１】
0005554679.tif 000022
【図２２】
0005554679.tif 000023
【図２３】
0005554679.tif 000024
【図２４】
0005554679.tif 000025
【図２５】
0005554679.tif 000026
【図２６】
0005554679.tif 000027
【図２７】
0005554679.tif 000028
【図２８】
0005554679.tif 000029
【図２９】
0005554679.tif 000030
【図３０】
0005554679.tif 000031
【図３１】
0005554679.tif 000032
【図３２】
0005554679.tif 000033
【図３３】
0005554679.tif 000034
【図３４】
0005554679.tif 000035
【図３５】
0005554679.tif 000036
【図３６】
0005554679.tif 000037
【図３７】
0005554679.tif 000038
【図３８】
0005554679.tif 000039
【図３９】
0005554679.tif 000040
【図４０】
0005554679.tif 000041
【図４１】
0005554679.tif 000042
【図４２】
0005554679.tif 000043